(57)【要約】【課題】殺菌液による空気洗浄方式を利用した空気清浄器において、汚染空気の脱臭効果を向上させるとともに、装置本体の保守作業が容易な空気清浄器を提供する。【解決手段】殺菌液による空気洗浄方式を利用した空気清浄器１０であって、外部からの空気を吸い込むための吸込口３１を設け、吸込口３１から吸い込んだ空気を活性炭層に通過させることにより空気の脱臭を行う活性炭容器３０と、殺菌液５０を貯蔵する水槽タンク４０を備え、底部から活性炭容器３０を通過した空気を送り込むことにより空気を水洗殺菌する水槽タンク４０と、を具備するように構成する。【選択図】図１
2015164478.tif 000002
【特許請求の範囲】
【請求項１】
殺菌液による空気洗浄方式を利用した空気清浄器であって、
外部からの空気を吸い込むための吸込口を設け、前記吸込口から吸い込んだ空気を活性炭層に通過させることにより空気の脱臭を行う空気脱臭部と、
殺菌液を貯蔵する貯蔵タンクを備え、前記貯蔵タンクの底部から前記空気脱臭部を通過した空気を送り込むことにより空気を水洗殺菌する空気殺菌部と、
を具備すること
を特徴とする空気清浄器。
【請求項２】
前記貯蔵タンクを装置本体に接続する接続部を備え、
前記接続部は、
その内部を、前記空気脱臭部を通過した空気が通過可能であるとともに、
前記貯蔵タンクの底部に設けられ、前記装置本体に接続するためのタンク側接続部材と、
前記装置本体に設けられ、前記タンク側接続部材を支持する本体側接続部材と、
から構成され、
前記タンク側接続部材は、シール部材を介して前記本体側支持部材に支持され、
前記本体側支持部材は、弾性部材を介して前記装置本体に支持されること
を特徴とする請求項１に記載の空気清浄器。
【請求項３】
前記貯蔵タンクの底部に、前記貯蔵タンクに空気を吹き出すための吹出し部を設け、
前記吹出し部は、前記空気脱臭部を通過した空気を細分化して吹き出し可能な細分化部材により構成されること
を特徴とする請求項１又は請求項２に記載の空気清浄器。
【発明の詳細な説明】
【技術分野】
【０００１】
本発明は、殺菌液による空気洗浄方式により汚染空気を浄化する空気清浄器に関する。
【背景技術】
【０００２】
近年、環境汚染が拡大し、その汚染物質は、煤煙、車の排ガス、黄砂、ＰＭ２．５（微小粒子状物質）、花粉、インフルエンザ、結核菌、ＳＡＲＳウイルス、多剤耐性菌等の浮遊菌及び粉塵に付着して浮遊の食中毒菌等、多種に亘り増大している。そのため、空気中のこれら汚染物質を除去するための空気清浄器の必要性が増大している。
【０００３】
空気中の上記汚染物質を除去するための従来の空気清浄器としては、膜ろ過方式による粉塵除去を主としたもの、或いはマイナスイオン等を発生させて悪臭を除去するもの等が挙げられる。
【０００４】
しかしながら、膜ろ過方式による空気清浄器は、粉塵の防止には有効であるが、膜でろ過された粉塵が膜に付着して装置内に残留するため問題となる。また、マイナスイオン等を発生させて悪臭を除去する空気清浄器は、その効果が充分に実証されていない。
【０００５】
そこで、上記問題を解決するために、汚染空気を殺菌液で水洗洗浄する空気清浄器が提案されている（例えば、特許文献１）。
【０００６】
特許文献１の空気清浄器は、貯水タンクに貯めた殺菌液の表面に、ファン等の送気手段によりパイプの先端部から汚染空気を吹き付ける、或いはパイプの先端部を殺菌液中に浸漬した状態で殺菌液中に汚染空気を噴射することで、汚染空気を殺菌液に接触させることにより汚染空気を浄化するものである。
【先行技術文献】
【特許文献】
【０００７】
【特許文献１】特開２０１１−１４７５４６号公報
【発明の概要】
【発明が解決しようとする課題】
【０００８】
しかしながら、特許文献１の空気清浄器は、汚染空気を殺菌液に接触させて浄化する工程のみであるため、汚染空気の脱臭が不十分であるという問題があった。また、特許文献１の空気洗浄器は、汚染空気を吹き付けるパイプが貯水タンクの内部に設けられていること、及び空気を送風する送風ファン等が貯水タンクの上部に取り付けられていることから、貯水タンク内の清掃作業、或いは貯水タンク内の殺菌液の交換作業を、上記パイプ、送風ファン等を取り外してから行う必要があるため、装置本体の保守作業が煩雑になるという問題点もあった。
【０００９】
そこで、本発明は、殺菌液による空気洗浄方式を利用した空気清浄器において、汚染空気の脱臭効果を向上させるとともに、装置本体の保守作業が容易な空気清浄器を提供することを目的とする。
【課題を解決するための手段】
【００１０】
本発明の要旨は、
（１）殺菌液による空気洗浄方式を利用した空気清浄器であって、外部からの空気を吸い込むための吸込口を設け、前記吸込口から吸い込んだ空気を活性炭層に通過させることにより空気の脱臭を行う空気脱臭部と、殺菌液を貯蔵する貯蔵タンクを備え、前記貯蔵タンクの底部から前記空気脱臭部を通過した空気を送り込むことにより空気を水洗殺菌する空気殺菌部と、を具備する空気清浄器、
（２）前記貯蔵タンクを装置本体に接続する接続部を備え、前記接続部は、その内部を、前記空気脱臭部を通過した空気が通過可能であるとともに、前記貯蔵タンクの底部に設けられ、前記装置本体に接続するためのタンク側接続部材と、前記装置本体に設けられ、前記タンク側接続部材を支持する本体側接続部材と、から構成され、前記タンク側接続部材は、シール部材を介して前記本体側支持部材に支持され、前記本体側支持部材は、弾性部材を介して前記装置本体に支持される、前記（１）に記載の空気清浄器、
（３）前記貯蔵タンクの底部に、前記貯蔵タンクに空気を吹き出すための吹出し部を設け、前記吹出し部は、前記空気脱臭部を通過した空気を細分化して吹き出し可能な細分化部材により構成される、前記（１）又は（２）に記載の空気清浄器、に関する。
【発明の効果】
【００１１】
本発明によれば、汚染空気を空気脱臭部で充分脱臭した上で、水洗殺菌を行うため、汚染空気の脱臭効果を向上させることができる。また、汚染空気を水洗殺菌することから、汚染空気の殺菌はもとより、汚染空気の除塵及び清浄空気の加湿を同時に行うことができる。さらに、殺菌剤溶融水分が清浄空気中に付着して外部に排気（拡散）されることから、部屋等の外部の浮遊菌を殺菌することができる。さらにまた、汚染空気を貯蔵タンクの底部から送風する構造となっているため、装置本体の保守作業が容易である。
【００１２】
また、本発明によれば、タンク側接続部材と、本体側接続部材と、から構成される接続部を介して貯蔵タンクを装置本体に接続していることから、貯蔵タンクの取り付け取り外しが容易である。そのため、装置本体の保守作業が容易となる。また、タンク側接続部材がシール部材を介して本体側支持部材に支持されるとともに、本体側支持部材が弾性部材を介して装置本体に支持されることから、タンク側接続部材と本体側接続部材との密着性が向上する。そのため、貯蔵タンク内の殺菌水の漏れを防止することができる。
【００１３】
さらに、本発明によれば、汚染空気が細分化（細粒化）されて貯蔵タンクに供給されることから、汚染空気を充分に殺菌液と接触させることができる。そのため、汚染空気の殺菌効果、除塵効果、加湿効果を向上させることができる。
【図面の簡単な説明】
【００１４】
【図１】本発明に係る空気清浄器の構成を示す斜視図である。
【図２】本発明に係る空気清浄器の構成を示す側面図である。
【図３】（ａ）は、水槽タンク（貯蔵タンク）を土台（装置本体）に接続する前の接続部近傍の側面断面概略図、（ｂ）は、水槽タンク（貯蔵タンク）を土台（装置本体）に接続した後の接続部近傍の側面断面概略図である。
【図４】吹出し部の別実施例を示す斜視図である。
【発明を実施するための形態】
【００１５】
まず、本発明に係る空気清浄器１０の概略を説明する。
【００１６】
図１及び図２に示すように、空気清浄器１０は、殺菌液による空気洗浄方式を利用した空気清浄器であり、土台２０（「装置本体」の一例）と、活性炭容器３０（「空気脱臭部」の一例）と、水槽タンク４０（「貯蔵タンク」「空気殺菌部」の一例）と、エアポンプ６０と、から主に構成される。
【００１７】
土台２０は、空気清浄器１０の装置本体を構成する部材である。土台２０の載置部２１の上面には、水槽タンク４０が載置される。また、土台２０の載置部２１には、活性炭容器３０が嵌め込まれている。さらに、土台２０の載置部２１の裏面にはエアポンプ６０が取り付けられる。
【００１８】
活性炭容器３０は、空気清浄器１０の外部から吸い込んだ空気の脱臭を行う部分である。図２に示すように、活性炭容器３０は、土台２０の載置部２１に嵌め込み可能に構成される。活性炭容器３０は容器形状に形成され、その容器内部に図示しない活性炭が層状に収納されている。
【００１９】
活性炭容器３０に収納される活性炭としては、粒状或いはシート状のものを用いる。また、当該活性炭は、アンモニア対応、シンナー溶剤用、ホルマリン用等の目的に合わせて表面処理されたものを用いても構わない。すなわち、活性炭の種類を変更することで、各種の悪臭に対応することができる。
【００２０】
また、活性炭容器３０の上面には、空気清浄器１０の外部からの空気を吸い込む（取り込む）ための吸込口３１が形成されている。吸込口３１の形状は、特に限定されるものではないが、エアポンプ６０によって空気清浄器１０の外部からの空気を充分に吸い込み可能な程度に開口していることが望ましい。そして、吸込口３１の上部には、不織布等で構成されるフィルタ（図示せず）が配置されている。このフィルタは、活性炭容器３０内への埃、粉塵類の侵入を防止する。なお、このフィルタを重ねて（多層にして）配置することで、埃、粉塵類の侵入を防止する効果が向上する。また、吸込口３１はフタ状になっており、フタを外すことで上記フィルタの取り替え、活性炭の補充及び取り替えを行うことができる。
【００２１】
さらに、活性炭容器３０の下面には、吸い込んだ空気を水槽タンク４０へ送るための第１送風パイプ３２が取り付けられている。第１送風パイプ３２の他方の端部は、エアポンプ６０に接続されている。
【００２２】
水槽タンク４０は、空気清浄器１０の外部から吸い込んだ空気の殺菌を行う部分である。水槽タンク４０は、例えば、４リッター程度の水を貯水可能なポリスチレン製の槽である。水槽タンク４０は、不透明な槽でも構わないが、槽内部の汚れ等を槽外部から視認可能な透明或いは半透明の槽がより好ましく、槽内部の汚れ度を最適に確認するためには透明の槽が最も好ましい。また、水槽タンク４０には取っ手４１が取り付けられ、水槽タンク４０の持ち運び、水槽タンク４０の土台２０への取り付け及び取り外しが容易な構成となっている。
【００２３】
また、図３に示すように、水槽タンク４０は、接続部４２を介して土台２０に接続される。接続部４２は、水槽タンク４０の底部に設けられ、土台２０に接続するための上部ジョイント４３（「タンク側接続部材」の一例）と、土台２０に設けられ、上部ジョイント４３を支持する下部ジョイント４４（「本体側接続部材」の一例）と、から構成される。
【００２４】
水槽タンク４０は、土台２０に対して取り付け及び取り外しが可能な構造となっている。具体的には、図３（ａ）に示すように、土台２０の載置部２１から上方へ突出して設けられる下部ジョイント４４に、上部ジョイント４３を挿通することにより、水槽タンク４０が土台２０に取り付けられる。この時、下部ジョイント４４は、水槽タンク４０の重みにより上部ジョイント４３に挿通される。このように水槽タンク４０を構成することで、水槽タンク４０のみを土台２０から取り外して水槽タンク４０を清掃できる。
【００２５】
上部ジョイント４３は、下部ジョイント４４に挿通し、且つ内部に空気を通気可能とするために、その下端部が円筒状に形成されている。また、上部ジョイント４３の円筒状部分の外部には、環状のゴムパッキン４５（「シール部材」の一例）が取り付けられている。そして、図３（ｂ）に示すように、上部ジョイント４３を下部ジョイント４４に挿通することで、ゴムパッキン４５が下部ジョイント４４の円筒状部分の先端と当接し、上部ジョイント４３と下部ジョイント４４とが密閉される。
【００２６】
下部ジョイント４４は、上部ジョイント４３が挿通され、且つ内部に空気を通気可能とするために、その上端部が円筒状に形成されている。また、下部ジョイント４４は、その下端部にバネ５２（「弾性部材」の一例）付き構造からなる押上げ部４６によって土台２０に支持され、下部ジョイント４４全体が常に上方へ押し上げられるように構成されている。このように、押上げ部４６によって下部ジョイント４４全体を常に上方へ押し上げることにより、ゴムパッキン４５による上部ジョイント４３と下部ジョイント４４との密閉効果を向上させ、上部ジョイント４３と下部ジョイント４４との間での空気の漏れを防止することができる。
【００２７】
また、下部ジョイント４４の下部には、活性炭容器３０から吸い込んだ空気を水槽タンク４０へ送るための第２送風パイプ４７が取り付けられている。第２送風パイプ４７の他方の端部は、エアポンプ６０に接続されている。
【００２８】
さらに、上部ジョイント４３の上端部には、開閉弁４８が設けられている。開閉弁４８は、上部ジョイント４３から水槽タンク４０への空気の送風を制御する弁である。開閉弁４８は、上部ジョイント４３の下部から送風される空気により弁体が上方へ押し上げられることにより「開」状態となる（弁体が開放される）。一方で、開閉弁４８は、上部ジョイント４３の下部からの空気の送風が停止されると、水槽タンク４０内の殺菌液５０の重み（水圧）で弁体が下方へ押し下げられ「閉」状態となる（弁体が閉じられる）。すなわち、開閉弁４８は、弁体が上部ジョイント４３内を上下方向に移動するのみで弁の開閉を行う。このため、開閉弁４８は、弁の構造が非常に簡単である。また、開閉弁４８は、水槽タンク４０内の殺菌液５０の重み（水圧）により「閉」状態となることから、殺菌液５０の入った水槽タンク４０を土台２０から取り外して持ち運んでも水槽タンク４０内の殺菌液５０が漏れ出すことはなく、容易に水槽タンク４０内の清掃、殺菌液５０の取り替えを行うことができる。
【００２９】
さらにまた、水槽タンク４０の内部には、空気清浄器１０の外部から吸い込んだ空気を殺菌するための殺菌液５０が貯水される。殺菌液５０は、水に対して水溶性の殺菌剤を混合投入することにより生成される。殺菌液５０に用いられる殺菌剤としては、殺菌効力を２日以上７日程度持続させる必要性から、金属イオン発生粒状物、銅・銀等のイオン化による殺菌力を発揮する物、カチオン系界面活性剤、両性界面活性剤が好ましい。なお、フマル酸、ソルビン酸等の水に難溶な物は好ましくない。
【００３０】
さらに、水槽タンク４０の底部には、活性炭容器３０からエアポンプ６０によって送風される空気を水槽タンク４０内に吹き出すための吹出し部４９が設けられている。吹出し部４９は、活性炭容器３０から送風される空気と、水槽タンク４０内の殺菌液５０とをできる限り接触させる必要性から、空気泡を細分化（細粒化）するエアーストーン（「細分化部材」の一例）により構成されている。また、吹出し部４９の別実施例としては、図４に示すような金網状の部材が挙げられる。なお、吹出し部４９をエアーストーン等の細分化部材で構成しない場合には、大きな空気の塊状の泡が水槽タンク４０内に吹き出されるため空気と殺菌液５０とが充分に接触せず、空気を殺菌液５０で殺菌する状態にならない。
【００３１】
さらにまた、図１に示すように、水槽タンク４０の上部には、殺菌液５０を通した空気を排出するための排気口５１が設けられている。また、排気口５１の下部には、不織布等で構成されるフィルタ（図示せず）が配置されている。このフィルタは、殺菌液５０中で除去された埃、粉塵類が水槽タンク４０の外部へ放出されることを防止する。また、このフィルタは、水槽タンク４０内の殺菌液５０の噴き出し（放散）を防止する。
【００３２】
図２に示すように、エアポンプ６０は、活性炭容器３０から空気を吸い込み、吸い込んだ空気を水槽タンク４０へ送るためのダイヤフラム式のポンプである。エアポンプ６０は、土台２０との間に、図示しないゴム状の緩衝材（クッション材）を挟んだ状態で土台２０の裏面に取り付けられる。ゴム状の緩衝材を挟むことにより、エアポンプ６０の稼働時の振動による騒音を防止することができる。なお、エアポンプ６０を取り付けるネジについてもゴムカバー付きのネジを用いることが好ましい。また、エアポンプ６０には、第１送風パイプ３２及び第２送風パイプ４７が接続される。
【００３３】
次に、空気清浄器１０の空気清浄方法について説明する。
【００３４】
図１及び図２に示すように、エアポンプ６０を作動させることにより、活性炭容器３０の吸込口３１から空気が吸い込まれる。そして、吸い込まれた空気が活性炭容器３０内の活性炭層を通過することにより、空気の脱臭が行われる。すなわち、活性炭容器３０内の活性炭層が空気の脱臭機構として作用する。
【００３５】
活性炭容器３０において脱臭された空気は、エアポンプ６０をさらに作動させることにより、第１送風パイプ３２、エアポンプ６０、第２送風パイプ４７を介して、水槽タンク４０へ送風される。水槽タンク４０へ送風された空気は、上述のように、吹出し部４９において細分化（細粒化）された空気泡として水槽タンク４０へ吹き出される。そして、空気泡として水槽タンク４０へ吹き出された空気が水槽タンク４０内の殺菌液５０と接触することにより空気の殺菌が行われる。すなわち、水槽タンク４０内の殺菌液５０が空気の殺菌機構として作用する。
【００３６】
また、空気泡として水槽タンク４０へ吹き出された空気が、水槽タンク４０内の殺菌液５０と接触することにより、空気中の埃、粉塵類が取り除かれる。すなわち、水槽タンク４０内の殺菌液５０が空気中の埃、粉塵類をろ過する吸着ろ過機構として作用する。
【００３７】
さらにまた、空気泡として水槽タンク４０へ吹き出された空気が、水槽タンク４０内の殺菌液５０と接触することにより、空気中に水分が多量に含まれる。すなわち、水槽タンク４０内の殺菌液５０が空気を加湿する加湿機構として作用する。
【００３８】
水槽タンク４０内の殺菌液５０と接触した空気は、エアポンプ６０をさらに作動させることにより、水槽タンク４０の排気口５１から水槽タンク４０の外部へ排気される。これにより、浄化された空気が外部へ放出される。外部へ放出される空気は、上述のように、水分、すなわち、殺菌液５０による殺菌剤溶融水分を多量に含んでいるため、殺菌剤溶融水分が付着した状態で外部に拡散する。そのため、部屋等の外部に浮遊する浮遊菌を、外部へ放出される空気によって殺菌することができる。
【００３９】
このように、空気清浄器１０の空気清浄方法においては、第一段階で空気の脱臭（脱臭工程）を行った後に、第二段階で空気の殺菌及び除塵（殺菌工程及び除塵工程）を行うことで、汚染空気の浄化を行う。また、空気清浄器１０の空気清浄方法においては、殺菌液５０を通過させた空気を外部に排気するため、湿気を多量に含んだ清浄空気を供給することとなる。すなわち、空気清浄器１０は、空気の脱臭、殺菌、除塵の機能を有するとともに、加湿の機能も有する。さらに、外部に排気される空気は殺菌剤溶融水分を含むため、部屋等の外部に浮遊する浮遊菌を殺菌する機能も有する。
【００４０】
以上のように、本発明に係る空気清浄器１によれば、汚染空気を活性炭容器３０で充分脱臭した上で、水洗殺菌を行うため、汚染空気の脱臭効果を向上させることができる。また、汚染空気を水洗殺菌することから、汚染空気の殺菌はもとより、汚染空気の除塵及び清浄空気の加湿を同時に行うことができる。さらに、殺菌剤溶融水分が清浄空気中に付着して外部に排気（拡散）されることから、部屋等の外部の浮遊菌を殺菌することができる。さらにまた、汚染空気を水槽タンク４０の底部から送風する構造となっているため、装置本体の保守作業が容易である。
【００４１】
また、本発明によれば、上部ジョイント４３と下部ジョイント４４と、から構成される接続部４２を介して水槽タンク４０を土台２０に接続していることから、水槽タンク４０の取り付け取り外しが容易である。そのため、装置本体の保守作業が容易となる。また、上部ジョイント４３がゴムパッキン４５を介して下部ジョイント４４に支持されるとともに、下部ジョイント４４がバネ５２を介して土台２０に支持されることから、上部ジョイント４３と下部ジョイント４４との密着性が向上する。そのため、水槽タンク４０内の殺菌液５０の漏れを防止することができる。
【００４２】
さらに、本発明によれば、汚染空気が細分化（細粒化）されて水槽タンク４０に供給されることから、汚染空気を充分に殺菌液５０と接触させることができる。そのため、汚染空気の殺菌効果、除塵効果、加湿効果を向上させることができる。
【符号の説明】
【００４３】
１０      空気清浄器
２０      土台（装置本体）
３０      活性炭容器（空気脱臭部）
３１      吸込口
４０      水槽タンク（貯蔵タンク、空気殺菌部）
４２      接続部
４３      上部ジョイント（タンク側接続部材）
４４      下部ジョイント（本体側接続部材）
４５      ゴムパッキン（シール部材）
４９      吹出し部
５０      殺菌液
５２      バネ（弾性部材）
【図１】
2015164478.tif 000003
【図２】
2015164478.tif 000004
【図３】
2015164478.tif 000005
【図４】
2015164478.tif 000006
【手続補正書】
【提出日】平成27年6月15日(2015.6.15)
【手続補正１】
【補正対象書類名】特許請求の範囲
【補正対象項目名】全文
【補正方法】変更
【補正の内容】
【特許請求の範囲】
【請求項１】
殺菌液による空気洗浄方式を利用した空気清浄器であって、
活性炭が収納される容器を備え、前記容器に外部からの空気を吸い込むための吸込口を設けて、前記吸込口から吸い込んだ空気を前記活性炭の層に通過させることにより空気の脱臭を行い、
殺菌液を貯蔵する水槽タンクを備え、前記水槽タンクの底部から前記容器を通過させた空気を前記水槽タンク内に送り込むことにより、前記容器を通過させた空気を前記殺菌液と接触させて水洗殺菌し、
前記水槽タンクの底部に設けられ、前記水槽タンクの底部から前記水槽タンク内に送り込む前記空気の送風を弁体の開閉により制御する開閉弁を備え、前記開閉弁が、前記水槽タンクの底部から前記水槽タンク内に送り込まれる前記空気の送風により前記弁体が上方に押し上げられて開状態となり、前記水槽タンク内の殺菌液の水圧により前記弁体が下方に押し下げられて閉状態となること
を特徴とする空気清浄器。
【請求項２】
前記水槽タンクを土台に接続する接続部を備え、
前記接続部は、
弾性部材を介して上方へ押し上げられるように前記土台に支持される本体側接続部材と、
前記水槽タンクの底部に設けられ、シール部材を介して前記本体側接続部材に当接させることにより、前記水槽タンクを前記土台に取り付けるタンク側接続部材と、
から構成され、
本体側接続部材は、前記容器を通過させた空気を前記水槽タンク内に送り込むために、その内部が前記空気を通過可能に構成され、
タンク側接続部材は、前記容器を通過させた空気を前記水槽タンク内に送り込むために、その内部が前記空気を通過可能に構成されるとともに、その上端部に前記開閉弁が設けられること
を特徴とする請求項１に記載の空気清浄器。
【請求項３】
前記水槽タンクの底部に、前記水槽タンクに空気を吹き出すための吹出し部を設け、
前記吹出し部は、前記容器を通過させた空気を細分化して吹き出し可能な細分化部材により構成されること
を特徴とする請求項１又は請求項２に記載の空気清浄器。
【手続補正２】
【補正対象書類名】明細書
【補正対象項目名】００１０
【補正方法】変更
【補正の内容】
【００１０】
本発明の要旨は、
（１）殺菌液による空気洗浄方式を利用した空気清浄器であって、活性炭が収納される容器を備え、前記容器に外部からの空気を吸い込むための吸込口を設けて、前記吸込口から吸い込んだ空気を前記活性炭の層に通過させることにより空気の脱臭を行い、殺菌液を貯蔵する水槽タンクを備え、前記水槽タンクの底部から前記容器を通過させた空気を前記水槽タンク内に送り込むことにより、前記容器を通過させた空気を前記殺菌液と接触させて水洗殺菌し、前記水槽タンクの底部に設けられ、前記水槽タンクの底部から前記水槽タンク内に送り込む前記空気の送風を弁体の開閉により制御する開閉弁を備え、前記開閉弁が、前記水槽タンクの底部から前記水槽タンク内に送り込まれる前記空気の送風により前記弁体が上方に押し上げられて開状態となり、前記水槽タンク内の殺菌液の水圧により前記弁体が下方に押し下げられて閉状態となる空気清浄器、
（２）前記水槽タンクを土台に接続する接続部を備え、前記接続部は、弾性部材を介して上方へ押し上げられるように前記土台に支持される本体側接続部材と、前記水槽タンクの底部に設けられ、シール部材を介して前記本体側接続部材に当接させることにより、前記水槽タンクを前記土台に取り付けるタンク側接続部材と、から構成され、本体側接続部材は、前記容器を通過させた空気を前記水槽タンク内に送り込むために、その内部が前記空気を通過可能に構成され、タンク側接続部材は、前記容器を通過させた空気を前記水槽タンク内に送り込むために、その内部が前記空気を通過可能に構成されるとともに、その上端部に前記開閉弁が設けられる、前記（１）に記載の空気清浄器、
（３）前記水槽タンクの底部に、前記水槽タンクに空気を吹き出すための吹出し部を設け、前記吹出し部は、前記容器を通過させた空気を細分化して吹き出し可能な細分化部材により構成される、前記（１）又は（２）に記載の空気清浄器、に関する。
【手続補正３】
【補正対象書類名】明細書
【補正対象項目名】００１１
【補正方法】変更
【補正の内容】
【００１１】
本発明によれば、汚染空気を充分脱臭した上で、水洗殺菌を行うため、汚染空気の脱臭効果を向上させることができる。また、汚染空気を水洗殺菌することから、汚染空気の殺菌はもとより、汚染空気の除塵及び清浄空気の加湿を同時に行うことができる。さらに、殺菌剤溶融水分が清浄空気中に付着して外部に排気（拡散）されることから、部屋等の外部の浮遊菌を殺菌することができる。さらにまた、汚染空気を水槽タンクの底部から送風する構造となっているため、装置本体の保守作業が容易である。
【手続補正４】
【補正対象書類名】明細書
【補正対象項目名】００１２
【補正方法】変更
【補正の内容】
【００１２】
また、本発明によれば、タンク側接続部材と、本体側接続部材と、から構成される接続部を介して水槽タンクを土台に接続していることから、水槽タンクの取り付け取り外しが容易である。そのため、装置本体の保守作業が容易となる。また、タンク側接続部材がシール部材を介して本体側接続部材に支持されるとともに、本体側接続部材が弾性部材を介して土台に支持されることから、タンク側接続部材と本体側接続部材との密着性が向上する。そのため、水槽タンク内の殺菌水の漏れを防止することができる。
【手続補正５】
【補正対象書類名】明細書
【補正対象項目名】００１３
【補正方法】変更
【補正の内容】
【００１３】
さらに、本発明によれば、汚染空気が細分化（細粒化）されて水槽タンクに供給される
ことから、汚染空気を充分に殺菌液と接触させることができる。そのため、汚染空気の殺
菌効果、除塵効果、加湿効果を向上させることができる。
【手続補正６】
【補正対象書類名】明細書
【補正対象項目名】００１４
【補正方法】変更
【補正の内容】
【００１４】
【図１】本発明に係る空気清浄器の構成を示す斜視図である。
【図２】本発明に係る空気清浄器の構成を示す側面図である。
【図３】（ａ）は、水槽タンクを土台に接続する前の接続部近傍の側面断面概略図、（ｂ）は、水槽タンクを土台に接続した後の接続部近傍の側面断面概略図である。
【図４】吹出し部の別実施例を示す斜視図である。
【手続補正７】
【補正対象書類名】明細書
【補正対象項目名】００１６
【補正方法】変更
【補正の内容】
【００１６】
図１及び図２に示すように、空気清浄器１０は、殺菌液による空気洗浄方式を利用した空気清浄器であり、土台２０と、活性炭容器３０（「容器」の一例）と、水槽タンク４０と、エアポンプ６０と、から主に構成される。
【手続補正８】
【補正対象書類名】明細書
【補正対象項目名】００４３
【補正方法】変更
【補正の内容】
【００４３】
１０      空気清浄器
２０      土台
３０      活性炭容器（容器）
３１      吸込口
４０      水槽タンク
４２      接続部
４３      上部ジョイント（タンク側接続部材）
４４      下部ジョイント（本体側接続部材）
４５      ゴムパッキン（シール部材）
４９      吹出し部
５０      殺菌液
５２      バネ（弾性部材）